(57)【要約】【課題】外部機器を接続した時に容易に操作できるとともに消費電力を低減できる撮像装置及びプリント装置を提供する。【解決手段】撮像装置は、自らに対する操作と接続された外部機器からの信号に基づき、どちらの機器が先に操作されたかを判断する。外部機器が先に操作されたときには自らの操作手段及び表示手段を無効化し、自らの操作手段が先に操作されたときには外部機器に対して操作手段及び表示手段を無効化するよう要求する。プリント装置についても同様である。【選択図】  図２
2005101932.tif 000002
【特許請求の範囲】
【請求項１】
被写体を撮影した撮影画像の画像データを出力する撮像手段と、
前記画像データを記録する記録手段と、
操作者が前記記録された画像データに基づく画像表示及び画像出力を含む指示入力を行うための第一の操作手段と、
前記操作手段を介した指示入力に従って、前記記録された画像データに基づく画像を表示する表示手段と、
前記第一の操作手段を介した指示入力または第二の操作手段を有する外部機器からの要求により前記記録された画像データを該外部機器に対して送信するとともに、前記第二の操作手段に対する操作がなされたことを示す信号を該外部機器から受信する通信手段と、
前記外部機器との接続後に、前記第一の操作手段に対する操作と前記第二の操作手段に対する操作とのうちどちらが先になされたかを判断する判断手段と、
前記判断結果に基づき、前記第二の操作手段が先に操作されたときには前記第一の操作手段及び前記表示手段を無効化し、前記第一の操作手段が先に操作されたときには前記外部機器に対して前記第二の操作手段を無効化するよう要求する信号を前記通信回線を介して送信する制御手段と、
を備える撮像装置。
【請求項２】
被写体を撮影した撮影画像の画像データを出力する撮像手段と、
前記画像データを記録する記録手段と、
操作者が前記記録された画像データに基づく画像表示及び画像出力を含む指示入力を行うための操作手段と、
前記操作手段を介した指示入力に従って、前記記録された画像データに基づく画像を表示する表示手段と、
外部機器からの要求または前記操作手段を介した指示入力により前記記録された画像データを該外部機器に対して送信する通信手段と、を有する撮像装置であって、
クレードル装置が接続されているか否かを判断する判断手段と、
前記判断結果に基づき前記クレードル装置が接続されているときには前記操作手段及び前記表示手段を無効化する制御手段と、をさらに備え、
前記通信手段は、前記判断結果に基づき、前記クレードル装置が接続されているときには前記外部機器からの要求により前記記録された画像データを該外部機器に対して送信することを特徴とする撮像装置。
【請求項３】
異常の発生を検知する検知手段をさらに備え、前記制御手段は、該検知手段が異常の発生を検知したときには異常の発生を示す情報を前記表示手段に表示させるとともに前記外部機器に対して異常の発生を示す情報を前記通信手段を介して送信し、前記通信手段が前記外部機器で異常が発生したことを示す情報を受信したときには、該受信した情報を前記表示手段に表示させることを特徴とする請求項１または請求項２に記載の撮像装置。
【請求項４】
第一の操作手段及び第一の表示手段を有する外部機器に対し、操作者が該外部機器に記録された画像データに基づく画像の表示及びプリントを含む指示入力を行うための第二の操作手段と、
前記外部機器から受信した画像データに基づく画像を表示する第二の表示手段と、
前記第二の操作手段を介した指示入力または前記外部機器からの要求に従って前記記録された画像データを受信すると共に、前記第一の操作手段に対する操作がなされたことを示す信号を該外部機器から受信する通信手段と、
前記外部機器との接続後に、前記第一の操作手段に対する操作と前記第二の操作手段に対する操作とのうちどちらが先になされたかを判断する判断手段と、
前記判断結果に基づき、前記第一の操作手段が先に操作されたときには前記第二の操作手段及び前記第二の表示手段を無効化し、前記第二の操作手段が先に操作されたときには前記外部機器に対して前記第一の操作手段及び前記第一の表示手段を無効化するよう要求する信号を前記通信回線を介して送信する制御手段と、
前記第二の操作手段を介した指示入力または前記外部機器からの要求により、前記受信した画像データを示す画像をプリントするプリント手段と、
を備えるプリント装置。
【請求項５】
異常の発生を検知する検知手段をさらに備え、前記制御手段は、該検知手段が異常の発生を検知したときには異常の発生を示す情報を前記第二の表示手段に表示させるとともに前記外部機器に対して異常の発生を示す情報を前記通信手段を介して送信し、前記通信手段が前記外部機器で異常が発生したことを示す情報を受信したときには、該受信した情報を前記第二の表示手段に表示させることを特徴とする請求項４に記載のプリント装置。
【発明の詳細な説明】
【技術分野】
【０００１】
本発明は、撮像装置及びプリント装置の技術分野に属し、特に撮像装置とプリント装置とを直接接続してプリントを行う撮像装置及びプリント装置の技術分野に属する。
【背景技術】
【０００２】
デジタルカメラで撮影した画像をプリントする場合、カードリーダを用いたり、デジタルカメラをパーソナルコンピュータ（以下、ＰＣという）と接続し、ＰＣからプリンタに画像を送ってプリントする必要があった。またプリンタでは、デジタルカメラの画像が記録されたカードの画像を読み込むカードスロットを設けて、プリントできるようにした製品が知られている。
【０００３】
これらの機器を用いてプリントするには、デジタルカメラから一度カードを取り出してＰＣのカードリーダやプリンタのカードスロットにカードを挿入する必要がある。このような操作はＰＣやカードの扱いに不慣れな初心者にとっては煩わしいものであり、またカードを破損する恐れもある。
【０００４】
こうした点を改良するため、デジタルカメラとプリンタを直接接続してプリントできるようにした製品が知られている。デジタルカメラにはほとんどの場合液晶表示モニタが装備されているため、カメラ側の操作・表示部材を使用してプリントする画像を選択させるようにしたものである（例えば、特許文献１乃至特許文献５参照）。
【０００５】
また、表示モニタを設け、処理フォーマットの選択状態に応じて表示モニタの光源を切り替えるプリンタが知られている（例えば、特許文献６参照）。
【０００６】
また、デジタルカメラが接続されると操作部における操作を無効にするプリンタが知られている（例えば、特許文献７参照）。
【特許文献１】特開平９−１３９８７６号公報
【特許文献２】特開平１０−１０８００５号公報
【特許文献３】特開平１０−１９１２１５号公報
【特許文献４】特開平１０−１９１２２６号公報
【特許文献５】特開平１０−２５００４７号公報
【特許文献６】特開２０００−６９４０１号公報
【特許文献７】特開２００３−１０３８８３号公報
【発明の開示】
【発明が解決しようとする課題】
【０００７】
プリンタが操作キーや表示用のモニタを持つ場合もあるが、この場合デジタルカメラとプリンタとの両方の操作部材、表示部材が動作していたのではどちらの操作部材で操作するべきなのかがユーザにとって分かりづらい。上述の特許文献７に示されるように、デジタルカメラが接続されると操作を無効とするプリンタもあるが、このように画一的に操作を無効にしてしまうと、プリンタ側の操作部材が使いやすかったり表示部材が大きい場合でも使えなくなってしまい、またデジタルカメラの操作部材が使いにくかったり表示部材が小さい場合でもユーザはデジタルカメラ側で操作せざるをえず、不便なものである。
【０００８】
さらに、デジタルカメラとプリンタの両方で同時に表示していたのでは、液晶表示の電力がその分無駄になる。
【０００９】
本発明は上記事情を鑑みてなされたもので、外部機器を接続した時に容易に操作できるとともに消費電力を低減する撮像装置及びプリント装置を提供することを目的とする。
【課題を解決するための手段】
【００１０】
上記目的を達成するために、請求項１に係る撮像装置は、被写体を撮影した撮影画像の画像データを出力する撮像手段と、前記画像データを記録する記録手段と、操作者が前記記録された画像データに基づく画像表示及び画像出力を含む指示入力を行うための第一の操作手段と、前記操作手段を介した指示入力に従って、前記記録された画像データに基づく画像を表示する表示手段と、前記第一の操作手段を介した指示入力または第二の操作手段を有する外部機器からの要求により前記記録された画像データを該外部機器に対して送信するとともに、前記第二の操作手段に対する操作がなされたことを示す信号を該外部機器から受信する通信手段と、前記外部機器との接続後に、前記第一の操作手段に対する操作と前記第二の操作手段に対する操作とのうちどちらが先になされたかを判断する判断手段と、前記判断結果に基づき、前記第二の操作手段が先に操作されたときには前記第一の操作手段及び前記表示手段を無効化し、前記第一の操作手段が先に操作されたときには前記外部機器に対して前記第二の操作手段を無効化するよう要求する信号を前記通信回線を介して送信する制御手段と、を備える。
【００１１】
請求項１に係る撮像装置では、撮像装置が先に操作されたときは外部機器の操作手段が無効化され、外部機器が先に操作されたときは撮像装置の操作手段及び表示手段が無効化される。すなわち、先に操作された方が有効となり、その後他方で操作がなされても受け付けられない。このため、ユーザは撮像装置と外部機器のいずれかで操作をすればよい。操作はどちらで行うこともできるので、ユーザは操作がしやすく表示が見やすい方の機器を選択すればよい。また、一方の機器を操作すると、他方の機器に対する操作は無効化されるので、どちらで操作をすればよいのか混乱することもない。さらに、外部機器が先に操作されたときは撮像装置の表示装置が無効化されるので、消費電力を低減することができる。
【００１２】
このように、請求項１に係る撮像装置では、外部機器を接続した時に容易に操作できるとともに消費電力を低減することができる。
【００１３】
また、外部機器が表示手段を備えている場合は、撮像装置が先に操作されたら、操作手段と同様に外部機器の表示手段無効化を要求するようにしてもよい。
【００１４】
なお、請求項１に係る撮像装置に接続される外部機器は、プリント装置やデータ記録装置等であってよい。
【００１５】
上記目的を達成するために、請求項２に係る撮像装置は、被写体を撮影した撮影画像の画像データを出力する撮像手段と、前記画像データを記録する記録手段と、操作者が前記記録された画像データに基づく画像表示及び画像出力を含む指示入力を行うための操作手段と、前記操作手段を介した指示入力に従って、前記記録された画像データに基づく画像を表示する表示手段と、外部機器からの要求または前記操作手段を介した指示入力により前記記録された画像データを該外部機器に対して送信する通信手段と、を有する撮像装置であって、クレードル装置が接続されているか否かを判断する判断手段と、前記判断結果に基づき前記クレードル装置が接続されているときには前記操作手段及び前記表示手段を無効化する制御手段と、をさらに備え、前記通信手段は、前記判断結果に基づき、前記クレードル装置が接続されているときには前記外部機器からの要求により前記記録された画像データを該外部機器に対して送信することを特徴としている。
【００１６】
撮像装置では、クレードル装置を介して外部機器に接続することがあるが、このときにクレードル装置によって操作キーが操作しにくくなったり表示モニタが隠れてしまうことがある。請求項２に係る撮像装置では、このような場合に操作手段及び表示手段を無効化し、外部機器側で操作できるようにするので、操作が容易であり、また消費電力が低減される。
【００１７】
なお、請求項２に係る撮像装置においてクレードル装置とは、撮像装置に接続したときに電源を供給したり、撮像装置と外部機器との間でデータやコマンドをやり取りするための装置を含むものとする。
【００１８】
また、請求項２に係る撮像装置においてクレードル装置を介さずに外部機器に接続している場合、請求項１に係る撮像装置と同様に、先に操作された方を優先し他方を無効化するようにしてもよい。
【００１９】
請求項３に係る撮像装置は、請求項１または請求項２に記載の撮像装置において、異常の発生を検知する検知手段をさらに備え、前記制御手段は、該検知手段が異常の発生を検知したときには異常の発生を示す情報を前記表示手段に表示させるとともに前記外部機器に対して異常の発生を示す情報を前記通信手段を介して送信し、前記通信手段が前記外部機器で異常が発生したことを示す情報を受信したときには、該受信した情報を前記表示手段に表示させることを特徴としている。
【００２０】
請求項３に係る撮像装置では、撮像装置または外部機器のいずれかで発生した異常を両方の機器で確認可能であり、ユーザは操作中の機器に注目していればよい。
【００２１】
上記目的を達成するために、請求項４に係るプリント装置は、第一の操作手段及び第一の表示手段を有する外部機器に対し、操作者が該外部機器に記録された画像データに基づく画像の表示及びプリントを含む指示入力を行うための第二の操作手段と、前記外部機器から受信した画像データに基づく画像を表示する第二の表示手段と、前記第二の操作手段を介した指示入力または前記外部機器からの要求に従って前記記録された画像データを受信すると共に、前記第一の操作手段に対する操作がなされたことを示す信号を該外部機器から受信する通信手段と、前記外部機器との接続後に、前記第一の操作手段に対する操作と前記第二の操作手段に対する操作とのうちどちらが先になされたかを判断する判断手段と、前記判断結果に基づき、前記第一の操作手段が先に操作されたときには前記第二の操作手段及び前記第二の表示手段を無効化し、前記第二の操作手段が先に操作されたときには前記外部機器に対して前記第一の操作手段及び前記第一の表示手段を無効化するよう要求する信号を前記通信回線を介して送信する制御手段と、前記第二の操作手段を介した指示入力または前記外部機器からの要求により、前記受信した画像データを示す画像をプリントするプリント手段と、を備える。
【００２２】
請求項４に係るプリント装置では、プリント装置が先に操作されたときは外部機器の操作手段及び表示手段が無効化され、外部機器が先に操作されたときはプリント装置の操作手段及び表示手段が無効化される。すなわち、先に操作された方が有効となり、その後他方で操作がなされても受け付けられない。このため、ユーザはプリント装置と外部機器のいずれかで操作をすればよい。操作はどちらで行うこともできるので、ユーザは操作がしやすく表示が見やすい方の機器を選択すればよい。また、一方の機器を操作すると、他方の機器に対する操作は無効化されるので、どちらで操作をすればよいのか混乱することもない。さらに、外部機器が先に操作されたときはプリント装置の表示装置が無効化されるので、消費電力を低減することができる。
【００２３】
このように、請求項４に係るプリント装置では、外部機器を接続した時に容易に操作できるとともに消費電力を低減することができる。
【００２４】
なお、請求項４に係る撮像装置に接続される外部機器は、撮像装置やデータ記録装置等であってよい。
【００２５】
請求項５に係るプリント装置は、請求項４に記載のプリント装置において、異常の発生を検知する検知手段をさらに備え、前記制御手段は、該検知手段が異常の発生を検知したときには異常の発生を示す情報を前記第二の表示手段に表示させるとともに前記外部機器に対して異常の発生を示す情報を前記通信手段を介して送信し、前記通信手段が前記外部機器で異常が発生したことを示す情報を受信したときには、該受信した情報を前記第二の表示手段に表示させることを特徴としている。
【００２６】
請求項５に係るプリント装置では、撮像装置または外部機器のいずれかで発生した異常を両方の機器で確認可能であり、ユーザは操作中の機器に注目していればよい。
【発明の効果】
【００２７】
本発明に係る撮像装置及びプリント装置は、外部機器を接続した時に容易に操作できるとともに消費電力を低減できる。
【発明を実施するための最良の形態】
【００２８】
以下、添付図面に従って、本発明に係る撮像装置及びプリント装置の好ましい実施の形態について詳説する。
【実施例１】
【００２９】
図１に、本発明の撮像装置に係るデジタルカメラ１０、及び本発明のプリント装置に係るプリンタ６０のブロック図を示す。デジタルカメラ１０はクレードル４０に接続可能になっており、またケーブル５０を介してプリンタ６０と接続されている。
【００３０】
デジタルカメラ１０はＭＰＵ（Micro Processing Unit）１２を備えており、ＭＰＵ１２がＲＯＭ（Read Only Memory）１４に記憶されたプログラム及びデータに従って以下に示す各構成要素を制御し、撮像処理や画像データの出力、制御信号の送受信等の処理を行うとともに、各構成要素の異常発生を検知する（後述）。処理の際には、ＳＤＲＡＭ（Synchronous DRAM）１６が、画像データ等の一時的な記憶や処理用の領域として用いられる。
【００３１】
撮像制御ブロック２２は、レンズ１８やＣＣＤ２０を制御し、撮影画像の画像データを出力する。画像データは、ＬＣＤ駆動回路２４を介してＬＣＤ２６に画像として表示されると共に、メモリカード制御ブロック２８を介してメモリカード３０に記録される。
【００３２】
ＬＣＤ２６にはまた、デジタルカメラ１０及びプリンタ６０で発生した異常を示す情報が表示される（後述）。
【００３３】
キー３２は、図示しないレリーズボタンや十字キーを含んで構成され、ユーザが撮影指示や画像表示、画像のプリント指示等の操作を行うことができるようになっている。
【００３４】
なお、ＬＣＤ２６及びキー３２は、プリンタ６０側のＬＣＤ及びキーより先に操作された場合に有効となる。プリンタ６０側が先に操作された場合には無効化される。すなわち、キー３２の操作は受け付けられなくなり、ＬＣＤ２６は表示されなくなる（後述）。
【００３５】
クレードル検出回路４２は、デジタルカメラ１０がクレードル４０に接続されたことを検出する。接続が検出されると、ＭＰＵ１２はキー３２及びＬＣＤ２６を無効化するとともに、プリンタ６０に操作権を通知する（後述）。
【００３６】
なお、これらデジタルカメラ１０の構成要素には、電源制御ブロック３８を介してバッテリー３６から電源が供給される。デジタルカメラ１０がクレードル４０に接続された場合には、クレードル４０を介して電源が供給される。
【００３７】
デジタルカメラ１０には、ケーブル５０を介してプリンタ６０が接続されている。デジタルカメラ１０に記録された画像データは、通信回路３４を介してプリンタ６０に出力され、画像としてプリントできるようになっている。
【００３８】
通信回路３４は、キー３２を介した操作者の指示入力またはプリンタ６０からの要求により画像データをプリンタ６０に送信すると共に、プリンタ６０との間で制御信号、異常発生信号を送受信する（後述）。なお、デジタルカメラ１０がクレードル４０に接続されている場合、プリンタ６０との通信はクレードル４０を介して行われる。
【００３９】
なお、ケーブル５０としては例えばＵＳＢ（Universal Serial Bus）ケーブルを用いることができ、この場合、画像データの出力や制御信号の送受信等を含むデジタルカメラ１０とプリンタ６０との間の双方向の通信を、いわゆるＤＰＳの規格に基づいて行うことができる。ＤＰＳ  Version 1.0では物理通信レイヤーとしてＵＳＢを用い、その上のトランスポート層の通信プロトコルとしてＰＴＰ（Picture Transfer Protocol for Digital Still Photography Devices）を用いている。
【００４０】
プリンタ６０はＭＰＵ（Micro Processing Unit）６２を備えており、ＭＰＵ６２がＲＯＭ（Read Only Memory）６４に記憶されたプログラム及びデータに従って以下に示す各構成要素を制御し、画像データの取得や制御信号の送受信、プリント処理等を行うとともに、各構成要素の異常発生を検知する。処理の際には、ＳＤＲＡＭ（Synchronous DRAM）６６が、画像データ等の一時的な記憶や処理用の領域として用いられる。
【００４１】
プリンタ６０は通信回路８２を備えており、キー７６を介した操作者の指示入力またはデジタルカメラ１０からの要求によりデジタルカメラ１０から画像データを受信すると共に、デジタルカメラ１０との間で制御信号、異常発生信号を送受信する（後述）。なお、デジタルカメラ１０がクレードル４０に接続されている場合は、デジタルカメラ１０との通信はクレードル４０を介して行われる。
【００４２】
また、プリンタ６０にはメモリカード７４が挿抜可能に構成されており、メモリカード７４を介して画像データを読み込むことも可能である。
【００４３】
ＬＣＤ７０は、ＬＣＤ駆動回路６８の制御により、デジタルカメラ１０から受信した画像データ及びメモリカード７４を介して読み込んだ画像データに基づく画像を表示する。また、デジタルカメラ１０及びプリンタ６０で発生した異常を示す情報を表示する（後述）。
【００４４】
また、画像データは、キー７６を介した指示入力やデジタルカメラ１０のキー３２を介した指示入力に基づき、メカ制御回路７８により制御されるメカ８０により、図示しないプリント用紙に画像としてプリントされる。プリントは、インクジェット、熱転写、レーザなどにより行うことができる。
【００４５】
キー７６は、図示しない十字キーやボタンを含んで構成され、ユーザがデジタルカメラ１０に記録された画像データに基づく画像の表示やプリントの指示等の操作を行うことができるようになっている。
【００４６】
なお、ＬＣＤ７０及びキー７６は、デジタルカメラ１０側のＬＣＤ２６及びキー３２より先に操作された場合に有効となる。デジタルカメラ１０側が先に操作された場合には無効化される。すなわち、キー７６の操作は受け付けられなくなり、ＬＣＤ７０は表示されなくなる（後述）。
【００４７】
なお、これらプリンタ６０の構成要素には、電源制御ブロック８２を介して電源が供給される。
【００４８】
次に、デジタルカメラ１０とプリンタ６０とを接続したときの操作及び表示処理について説明する。図２に処理の流れを示す。なお、デジタルカメラ１０とプリンタ６０とでは同様の処理を行うため、ここではデジタルカメラ１０側に着目して処理を説明する。また、プリンタ６０側の処理については主要な項目のみを示している。
【００４９】
まず、ステップ１００で接続確認を行う。プリンタ６０側ではステップ２００である。ここで、デジタルカメラ１０とプリンタ６０との間で通信を行い、相手機器が操作部材や表示部材を有しているか否か、また機能、性能、インタフェースなどを確認する。
【００５０】
次に、ステップ１０２で、デジタルカメラ１０が操作不可か否かを判断する。デジタルカメラ１０がクレードル４０に装着されている場合には操作及び表示が無効化されるので操作不可となり、判断が肯定されてステップ１０４へ進む。
【００５１】
ステップ１０４では、デジタルカメラ１０が操作できない状態であり、操作権がプリンタ６０にあることをプリンタ６０に通知する。この通知はクレードル４０を介して行われる。この通知がなされると、プリンタ６０はステップ２０２でＬＣＤ７０の表示をオンにし、キー７６に対する操作を有効化する。
【００５２】
なお、ここではプリンタ６０が操作部材（キー７６）及び表示部材（ＬＣＤ７０）を有する場合について説明しているが、プリンタ６０に表示部材がない場合は、接続確認後に優先度が低いという判断がなされ（ステップ１０２に相当）、デジタルカメラ１０側に操作権を通知して（ステップ１０４に相当）操作部材を無効化する。
【００５３】
ステップ１０２において、デジタルカメラ１０がクレードル４０に接続されていない場合は判断が否定され、ステップ１０６へ進んでキー３２が操作されたか否かを判断する。肯定されるとステップ１０８へ進み、プリンタ６０に対して操作権を主張する。これによりプリンタ６０はステップ２０６でＬＣＤ７０の表示をオフにし、キー７６に対する操作を無効化する。
【００５４】
ステップ１０８で操作権を主張した後は、デジタルカメラ１０側での操作及び表示が有効な状態が継続する。
【００５５】
一方、ステップ１０６で判断が否定された場合はステップ１１０へ進んで相手側、すなわちプリンタ６０が操作されたか否かを判断する。プリンタ６０は、操作されたときはステップ２０４でデジタルカメラ１０に対して操作があったことを通知する。ステップ１１０の判断は、この通知があったか否かにより行うことができる。
【００５６】
判断が肯定されるとステップ１１２へ進んで操作権を相手側、すなわちプリンタ６０に設定し、次のステップ１１４へ進んでＬＣＤ２６の表示をオフにし、キー３２に対する操作を無効化する。
【００５７】
ステップ１１４の処理後は、プリンタ６０側の操作及び表示が有効な状態が継続する。
【００５８】
ステップ１１０で判断が否定されたときは、デジタルカメラ１０及びプリンタ６０の双方が操作されていない状態なので、どちらかが操作されるまでステップ１０６以降の処理を繰り返す。
【００５９】
以上の処理でデジタルカメラ１０とプリンタ６０とのうち一方の操作及び表示が有効となる。以降は有効な側でなされた操作に基づき、画像の表示やプリント等の処理が行われる。
【００６０】
以上説明したように、本実施の形態に係るデジタルカメラ１０及びプリンタ６０では、どちらの機器でも操作を行うことができるので、ユーザは操作がしやすく表示が見やすい方の機器を選択すればよい。また、デジタルカメラ１０またはプリンタ６０のいずれかを先に操作すると、他方に対する操作が無効化されるので、どちらで操作をすればよいのか混乱することもない。さらに、操作されなかった方の表示（ＬＣＤ）が無効化されるので、消費電力を低減することができる。
【００６１】
このように、本実施の形態に係るデジタルカメラ１０及びプリンタ６０では、外部機器を接続した時に容易に操作できるとともに消費電力を低減することができる。
【００６２】
さらに、本実施の形態に係るデジタルカメラ１０では、クレードル４０に接続されている場合にキー３２及びＬＣＤ２６を無効化しプリンタ６０側で操作できるようにするので、操作が容易であり、また消費電力が低減される。
【００６３】
次に、デジタルカメラ１０とプリンタ６０とを接続したときに、デジタルカメラ１０またはプリンタ６０に異常が発生した時の処理について説明する。図３に処理の流れを示す。なお、図２の場合と同様に、デジタルカメラ１０とプリンタ６０とでは同様の処理を行うため、ここではデジタルカメラ１０側に着目して処理を説明する。また、プリンタ６０側の処理については主要な項目のみを示している。
【００６４】
まず、ステップ３００でデジタルカメラ１０の各構成要素に異常が発生しているか否かを判断する。判断が肯定されるとステップ３０２へ進んで、プリンタ６０に対し異常が発生したことを通知する。プリンタ６０では、この通知を受信するとステップ４００において、デジタルカメラ１０に異常が発生したことをＬＣＤ７０に表示する。
【００６５】
また、デジタルカメラ１０も、ステップ３０４において、異常が発生したことをＬＣＤ２６に表示する。
【００６６】
同様に、プリンタ６０に異常が発生したときは、プリンタ６０はステップ４０２においてデジタルカメラ１０に対し異常発生の通知を行うとともに、ステップ４０４においてＬＣＤ７０に異常の発生を表示する。デジタルカメラ１０がこの通知を受信すると、ステップ３０４において、プリンタ６０に異常が発生したことをＬＣＤ２６に表示する。
【００６７】
なお、異常情報の表示に際し、デジタルカメラ１０またはプリンタ６０の表示が無効化されている場合は、有効化した上で表示するようにすればよい。
【００６８】
このように、本実施の形態に係るデジタルカメラ１０及びプリンタ６０では、デジタルカメラ１０またはプリンタ６０で発生した異常を両方の機器で確認可能であり、ユーザは操作中の機器に注目していればよい。
【００６９】
なお、本実施の形態ではプリンタ６０が操作部材と表示部材とを有する場合について説明しているが、本発明に係る撮像装置に接続するプリント装置として、表示部材はないが操作キーが大きく使いやすいという形態のものが考えられる。このような場合、表示部材は撮像装置側のものを有効とし、操作部材はプリント装置側のものを有効とするようにしてもよい。この場合は、上述の説明と同様に、撮像装置とプリント装置とを接続した際に双方の機器構成等を確認し、その結果を基にそれぞれの機器で有効化、無効化の設定を行えばよい。
【図面の簡単な説明】
【００７０】
【図１】本発明の一の実施形態に係るデジタルカメラ及びプリンタのブロック図である。
【図２】本発明の一の実施形態に係るデジタルカメラとプリンタとを接続したときの処理を示す図である。
【図３】本発明の一の実施形態に係るデジタルカメラとプリンタとを接続したときの異常発生時処理を示す図である。
【符号の説明】
【００７１】
１０・・・デジタルカメラ、２６、７０・・・ＬＣＤ、３２、７６・・・キー、４０・・・クレードル、４２・・・クレードル検出、５０・・・ケーブル、６０・・・プリンタ
【図１】
2005101932.tif 000003
【図２】
2005101932.tif 000004
【図３】
2005101932.tif 000005